(57)【要約】【課題】腕時計において、ケース体から機器モジュールを容易に取り外す。【解決手段】腕時計（１００）において、ケース体（３）の内面側に形成された凹部（３１）と、機器モジュール（１）に設けられ、機器モジュール（１）をケース体（３）に収納した場合に凹部（３１）に係合する弾性係合爪部（１４）と、回路押さえ（２）の外周部に設けられ、上部ハウジング（１２）から下部ハウジング（１３）側へ垂下する垂下部（２１）と、この垂下部（２１）に設けられ、弾性係合爪部（１４）の下部に位置するように突出する係合解除部（２２）と、を備え、上方に移動することで弾性係合爪部（１４）に当接するとともに、該弾性係合爪部（１４）を弾性変形させて凹部（３１）との係合を解除するように係合解除部（２２）を構成した。【選択図】        図２
2004301788.tif 000002
【特許請求の範囲】
【請求項１】
回路基板と、この回路基板の一方の面に設けられた上部ハウジングと、前記回路基板の他方の面に設けられた下部ハウジングと、を有する機器モジュールと、前記回路基板を挟んだ状態で、前記上部ハウジングと前記下部ハウジングとを固定する固定部材と、前記機器モジュールが収納される外装部材と、を備える電子機器であって、
前記外装部材の内面側に形成された凹部と、
前記機器モジュールに設けられ、前記機器モジュールを前記外装部材に収納した場合に前記凹部に係合する弾性係合爪部と、
前記固定部材の外周部に設けられ、前記上部ハウジングから前記下部ハウジング側へ垂下する垂下部と、
この垂下部から突出して、前記弾性係合爪部の下部に位置するように設けられた係合解除部と、を備え、
前記係合解除部は、上方に移動することで前記弾性係合爪部に当接するとともに、該弾性係合爪部を弾性変形させて前記凹部との係合を解除するように構成されていることを特徴とする電子機器。
【請求項２】
電池と、電池の一方の面側を受容する上部ハウジングと、前記電池の他方の面側を受容する下部ハウジングと、を有する電池受容体と、電池を挟んだ状態で、前記上部ハウジングと前記下部ハウジングとを固定する固定部材と、前記電池受容体が収納される外装部材と、を備える電子機器であって、
前記外装部材の内面側に形成された凹部と、
前記電池受容体に設けられ、前記電池受容体を前記外装部材に収納した場合に前記凹部に係合する弾性係合爪部と、
前記固定部材の外周部に設けられ、前記上部ハウジングから前記下部ハウジング側へ垂下する垂下部と、
この垂下部から突出して、前記弾性係合爪部の下部に位置するように設けられた係合解除部と、を備え、
前記係合解除部は、上方に移動することで前記弾性係合爪部に当接するとともに、該弾性係合爪部を弾性変形させて前記凹部との係合を解除するように構成されていることを特徴とする電子機器。
【請求項３】
前記弾性係合爪部は、下方から上方に向かって凹部側に傾斜する傾斜面を前記係合解除部側に有する傾斜面部を備え、
前記係合解除部が前記傾斜面に沿って移動することにより、前記傾斜面部が前記凹部の外側に向かって弾性変形するように構成されていることを特徴とする請求項１又は２記載の電子機器。
【請求項４】
前記係合解除部が上方に所定の距離以上移動することを規制する移動規制機構を備えることを特徴とする請求項１〜３のいずれか一項に記載の電子機器。
【請求項５】
前記移動規制機構は、
前記垂下部に形成され、上下方向に所定の長さを有する孔部と、
前記下部ハウジングの外周部に、前記孔部内に一部が位置するように形成され、上下方向の長さが前記孔部よりも短く形成された凸部と、を備え、
前記孔部の下端に前記凸部が当接することで、前記係合解除部の上方移動を規制するように構成されていることを特徴とする請求項４に記載の電子機器。
【発明の詳細な説明】
【０００１】
【発明の属する技術分野】
本発明は、電子機器に関する。
【０００２】
【従来の技術】
従来、電子機器である腕時計は、図７に示すように、回路基板１１ａを上部ハウジング１２ａと下部ハウジング１３ａで挟み込んで構成した機器モジュール１ａが回路押さえ２ａにより固定され、この固定された機器モジュール１ａがケース体３ａに収納されて構成されている（例えば、特許文献１参照。）。
ここで、機器モジュール１ａは、ケース体３ａから外れないように、ケース体３ａ側に付勢されたバネ４ａでケース体３ａに接続されているとともに、下部ハウジング１３ａに形成された弾性係合爪部１４ａがケース体３ａの内面に形成された凹部３１ａに係合されている。
そして、機器モジュール１ａをケース体３ａから取り外す場合には、図８に示すように、ケース体３ａの凹部３１ａと下部ハウジング１３ａの弾性係合爪部１４ａとの間にピンセットＰ等を差し込み、弾性係合爪部１４ａを弾性変形させて凹部３１ａとの係合状態を解除して機器モジュール１ａを上方に引いていた。
【０００３】
【特許文献１】
特開平１１−７２５８４号公報
【０００４】
【発明が解決しようとする課題】
しかし、上記の機器モジュールの取り外し方法においては、ピンセット等を差し込んで、機器モジュールとケース体の係合を解除し、解除した状態を維持しながら機器モジュールを上方に引く必要があるため、機器モジュールの取り外しが困難であった。
【０００５】
そこで、本発明の課題は、ケース体から機器モジュールを容易に取り外すことができる電子機器を提供することである。
【０００６】
【課題を解決するための手段】
上記課題を解決するため、請求項１に記載の発明は、回路基板（例えば、図２，３の回路基板１１）と、この回路基板の一方の面に設けられた上部ハウジング（例えば、図２，３の上部ハウジング１２）と、前記回路基板の他方の面に設けられた下部ハウジング（例えば、図２，３の下部ハウジング１３）と、を有する機器モジュール（例えば、図１〜３の機器モジュール１）と、前記回路基板を挟んだ状態で、前記上部ハウジングと前記下部ハウジングとを固定する固定部材（例えば、図１〜３の回路押さえ２）と、前記機器モジュールが収納される外装部材（例えば、図１〜３のケース体３）と、を備える電子機器（例えば、図１〜３の腕時計１００）であって、前記外装部材の内面側に形成された凹部（例えば、図２，３の凹部３１）と、前記機器モジュールに設けられ、前記機器モジュールを前記外装部材に収納した場合に前記凹部に係合する弾性係合爪部（例えば、図２，３の弾性係合爪部１４）と、前記固定部材の外周部に設けられ、前記上部ハウジングから前記下部ハウジング側へ垂下する垂下部（例えば、図２，３の垂下部２１）と、この垂下部から突出して、前記弾性係合爪部の下部に位置するように設けられた係合解除部（例えば、図２，３の係合解除部２２）と、を備え、前記係合解除部は、上方に移動することで前記弾性係合爪部に当接するとともに、該弾性係合爪部を弾性変形させて前記凹部との係合を解除するように構成されていることを特徴とする。
【０００７】
請求項１に記載の発明によれば、固定部材を上方に引くと、固定部材の外周部に設けられた垂下部も伴に上方に引かれる。また、垂下部が上方に引かれることで、垂下部に設けられた係合解除部も上方に移動する。係合解除部が上方に移動することにより、係合解除部は、外装部材に形成された凹部に係合する弾性係合爪部に当接するとともに、弾性係合爪部を弾性変形させて凹部との係合を解除する。よって、固定部材を上方に引く作業だけで外装部材から機器モジュールを容易に取り外すことができる。
【０００８】
請求項２に記載の発明は、電池（例えば、図５の第１の電池１１０ａ）と、電池の一方の面側を受容する上部ハウジング（例えば、図５の上部ハウジング１２０）と、前記電池の他方の面側を受容する下部ハウジング（例えば、図５の下部ハウジング１３０）と、を有する電池受容体（例えば、図５の電池受容体１０）と、電池を挟んだ状態で、前記上部ハウジングと前記下部ハウジングとを固定する固定部材（例えば、図５の回路押さえ２０）と、前記電池受容体が収納される外装部材（例えば、図５のケース体３０）と、を備える電子機器（例えば、図５の腕時計２００）であって、前記外装部材の内面側に形成された凹部（例えば、図５の凹部３１０）と、前記電池受容体に設けられ、前記電池受容体を前記外装部材に収納した場合に前記凹部に係合する弾性係合爪部（例えば、図５の弾性係合爪部１４０）と、前記固定部材の外周部に設けられ、前記上部ハウジングから前記下部ハウジング側へ垂下する垂下部（例えば、図５の垂下部２１０）と、この垂下部から突出して、前記弾性係合爪部の下部に位置するように設けられた係合解除部（例えば、図５の係合解除部２２０）と、を備え、前記係合解除部は、上方に移動することで前記弾性係合爪部に当接するとともに、該弾性係合爪部を弾性変形させて前記凹部との係合を解除するように構成されていることを特徴とする。
【０００９】
請求項２に記載の発明によれば、固定部材を上方に引くと、固定部材の外周部に設けられた垂下部も伴に上方に引かれる。また、垂下部が上方に引かれることで、垂下部に設けられた係合解除部も上方に移動する。係合解除部が上方に移動することにより、係合解除部は、外装部材に形成された凹部に係合する弾性係合爪部に当接するとともに、弾性係合爪部を弾性変形させて凹部との係合を解除する。よって、固定部材を上方に引く作業だけで外装部材から電池受容体を容易に取り外すことができる。
【００１０】
請求項３に記載の発明は、前記弾性係合爪部は、下方から上方に向かって凹部側に傾斜する傾斜面を前記係合解除部側に有する傾斜面部（例えば、図２，３，５の傾斜面部１５，１５０）を備え、前記係合解除部が前記傾斜面に沿って移動することにより、前記傾斜面部が前記凹部の外側に向かって弾性変形するように構成されていることを特徴とする。
【００１１】
請求項３に記載の発明によれば、弾性係合爪部は、下方から上方に向かって凹部側に傾斜する傾斜面を係合解除部側に有する傾斜面部を備えているので、固定部材を上方に引いた場合には、係合解除部が傾斜面に沿って移動することにより、傾斜面部が凹部の外側に向かって弾性変形する。よって、外装部材から機器モジュールを容易に取り外すことができる。
【００１２】
請求項４に記載の発明は、前記係合解除部が上方に所定の距離以上移動することを規制する移動規制機構（例えば、図２，３，６の移動規制機構５，５０）を備えることを特徴とする。
【００１３】
請求項４に記載の発明によれば、係合解除部が上方に所定の距離以上移動することを規制する移動規制機構を備えることにより、固定部材の上方への移動量を規制することができるので、固定部材が必要以上に上方に移動してしまうことによる折れ、曲がり、破損等の不具合を防止できる。
【００１４】
請求項５に記載の発明は、前記移動規制機構は、前記垂下部に形成され、上下方向に所定の長さを有する孔部（例えば、図２，３，６の孔部５１，５１０）と、前記下部ハウジングの外周部に、前記孔部内に一部が位置するように形成され、上下方向の長さが前記孔部よりも短く形成された凸部（例えば、図２，３，６の凸部５２，５２０）と、を備え、前記孔部の下端に前記凸部が当接することで、前記係合解除部の上方移動を規制するように構成されていることを特徴とする。
【００１５】
請求項５に記載の発明によれば、固定部材を上方に引くことにより、垂下部も上方に移動し、孔部内に一部が位置する凸部が孔部の下端に当接することで、係合解除部の上方移動を規制する。よって、固定部材が必要以上に上方に移動してしまうことによる折れ、曲がり、破損等の不具合を防止できる。
【００１６】
【発明の実施の形態】
以下、本発明に係る電子機器について詳細に説明する。なお、本実施の形態においては、電子機器として腕時計を挙げて説明する。
【００１７】
〔第１の実施の形態〕
＜腕時計の構成＞
最初に、腕時計の構成について説明する。
図１に示すように、腕時計１００は、機器モジュール１が固定部材としての回路押さえ２によって固定され、外装部材としてのケース体３に収納されている。図２に示すように、機器モジュール１は、時計としての機能を果たすために必要な回路基板１１と、この回路基板１１の一方の面に設けられた上部ハウジング１２と、回路基板１１の他方の面に設けられた下部ハウジング１３と、を備えている。すなわち、機器モジュール１は、多くの電子部品を搭載した回路基板を両面側からハウジングにより保護したものである。また、機器モジュール１は、下方に付勢されたバネ４によってケース体３に接続されている。
【００１８】
回路基板１１は、基板にＬＳＩチップや抵抗、コンデンサ等の電子部品が設けられている。
上部ハウジング１２は、回路基板１１の上面側を保護する部材であり、例えば、樹脂等で形成されている。
下部ハウジング１３は、回路基板１１の下面側を保護する部材であり、例えば、樹脂等で形成されている。また、下部ハウジング１３は、機器モジュール１をケース体３に収納した場合にケース体３に形成された凹部３１に係合する弾性係合爪部１４を備えている。この弾性係合爪部１４は、下方から上方に向かって凹部３１側に傾斜する傾斜面を、下面側に有する傾斜面部１５を備えている。
【００１９】
回路押さえ２は、上部ハウジング１２と下部ハウジング１３とで回路基板１１を挟み込んだ状態で上部ハウジング１２と下部ハウジング１３とが離間しないように固定するものである。回路押さえ２は、例えば、弾性を有する金属薄板から構成され、その外周部には上部ハウジング１２から下部ハウジング１３に向けて垂下する垂下部２１が形成されている。この垂下部２１の下端部には、弾性係合爪部１４の下部に位置するように突出する係合解除部２２が形成されている。係合解除部２２は、垂下部２１の長手方向に直交する方向に延びるように形成され、傾斜面部１５の下方に位置している。
【００２０】
また、腕時計１００には、回路押さえ２の折れ、曲がり、破損等の不具合を防ぐため、回路押さえ２が所定の距離以上移動してしまうことを規制する移動規制機構５が設けられている。
具体的に、移動規制機構５は、垂下部２１に形成され、上下方向に所定の長さを有する孔部５１と、下部ハウジング１３の外周部に孔部５１に一部が位置し、上下方向の長さが孔部５１よりも短く形成された凸部５２とを備えている。すなわち、孔部５１と凸部５２の上下方向の長さ差だけ、回路押さえ２が上下方向に移動することができるようになっている。
ケース体３は、機器モジュール１を収納するケースであるとともに、機器モジュール１を外部の衝撃から守るものである。ケース体３の内面側には、弾性係合爪部１４と係合するための凹部３１が形成されている。
【００２１】
＜機器モジュールの取り外し＞
次に、機器モジュール１をケース体３から取り外し動作について説明する。
図３に示すように、回路押さえ２を上方に引くと、回路押さえ２の外周部に設けられた垂下部２１も伴に上方に引かれる。また、垂下部２１が上方に引かれることで、垂下部２１に設けられた係合解除部２２も上方に移動する。係合解除部２２が上方に移動することにより、係合解除部２２は、ケース体３に形成された凹部３１に係合する弾性係合爪部１４に当接するとともに、係合解除部２２が傾斜面部１５に沿って移動することにより、傾斜面部１５が凹部３１の外側に向かって弾性変形する。これにより、弾性係合爪部１４と凹部３１との係合が解除される。よって、回路押さえ２を上方に引く作業だけでケース体３から機器モジュール１を容易に取り外すことができる。
また、機器モジュール１とケース体３との係合が解除された後、回路押さえ２を更に上方に引くと、垂下部２１も上方に移動し、孔部５１内に一部が位置する凸部５２が孔部５１の下端に当接することで、係合解除部２２の上方移動を規制する。よって、回路押さえ２が必要以上に上方に移動してしまうことによる折れ、曲がり、破損等の不具合を防止できる。
【００２２】
〔第２の実施の形態〕
第２の実施の形態は、第１の実施の形態における機器モジュール１をケース体３から取り外す機構を電池収納構造に適用したものである。
【００２３】
＜電池収納構造の構成＞
最初に、腕時計１００の電池収納構造２００の構成について説明する。
図４に示すように、電池収納構造２００は、電池受容体１０が固定部材としての電池押さえ２０によって固定され、外装部材としてのケース体３０に収納されている。
図５に示すように、電池受容体１０は、第１の電池１１０ａと、この第１の電池１１０ａの一方の面に設けられた上部ハウジング１２０と、第１の電池１１０ａの他方の面に設けられた下部ハウジング１３０と、上部ハウジング１２０の上面に設けられる第２の電池１１０ｂとを備えている。すなわち、電池受容体１０は、第１の電池１１０ａを両面側からハウジングにより保護したものである。また、電池受容体１０は、下方に付勢されたバネ４によってケース体３０に接続されている。
【００２４】
第１の電池１１０ａおよび第２の電池１１０ｂには、例えば、腕時計用の水銀電池等が用いられる。
上部ハウジング１２０は、第１の電池１１０ａの上面側を保護するとともに、第２の電池１１０ｂの下面を支持する部材であり、例えば、樹脂等で形成されている。
下部ハウジング１３０は、第１の電池１１０ａの下面側を保護する部材であり、例えば、樹脂等で形成されている。また、下部ハウジング１３０には、電池１１０をケース体３に収納した場合にケース体３に形成された凹部３１０に係合する弾性係合爪部１４０を備えている。この弾性係合爪部１４０は、下方から上方に向かって凹部３１０側に傾斜する傾斜面を係合解除部２２０側、すなわち、下面側に有する傾斜面部１５０を備えている。
【００２５】
電池押さえ２０は、上部ハウジング１２０と下部ハウジング１３０とで第１の電池１１０ａを挟み込んだ状態で第２の電池１１０ｂの上面から上部ハウジング１２０と下部ハウジング１３０とが離間しないように固定するものである。電池押さえ２は、例えば、弾性を有する金属薄板から構成され、その外周部には上部ハウジング１２０から下部ハウジング１３０に向けて垂下する垂下部２１０が形成されている。この垂下部２１０の下端部には、弾性係合爪部１４０の下部に位置するように突出する係合解除部２２０が形成されている。係合解除部２２０は、垂下部２１０の長手方向に直交する方向に延びるように形成され、傾斜面部１５０の下方に位置している。
【００２６】
また、電池収納構造２００には、図６に示すように、電池押さえ２０の折れ、曲がり、破損等の不具合を防止するため、移動規制機構５０が設けられている。具体的に、移動規制機構５０は、垂下部２１０に形成され、上下方向に所定の長さを有する孔部５１０と、下部ハウジング１３０の外周部に孔部５１０に一部が位置し、上下方向の長さが孔部５１０よりも短く形成された凸部５２０とを備えている。すなわち、孔部５１０と凸部５２０の上下方向の長さ差だけ、電池押さえ２０が上下方向に移動することができるようになっている。
ケース体３０は、電池受容体１０を収納するケースであるとともに、電池受容体１０を外部の衝撃から守るものである。ケース体３０の内面側には、弾性係合爪部１４０と係合するための凹部３１０が形成されている。
【００２７】
＜電池受容体の収納及び取り外し＞
次に、電池受容体１０をケース体３０に収納する動作及び電池受容体１０をケース体３０から取り外す動作について説明する。
図５（ａ）に示すように電池１１０を収納し、上部ハウジング１２０の上方から電池押さえ２０で固定すると、図５（ｂ）のように、電池１１０を上部ハウジング１２０及び下部ハウジング１３０で挟み込んだ状態となる。次いで、図５（ｃ）に示すように、電池押さえ２０を上方に引くと、電池押さえ２０の外周部に設けられた垂下部２１０もともに上方に引かれる。また、垂下部２１０が上方に引かれることで、垂下部２１０に設けられた係合解除部２２０も上方に移動する。係合解除部２２０が上方に移動することにより、係合解除部２２０は、ケース体３０に形成された凹部３１０に係合する弾性係合爪部１４０に当接するとともに、係合解除部２２０が傾斜面部１５０に沿って移動することにより、傾斜面部１５０が凹部３１０の外側に向かって弾性変形する。これにより、弾性係合爪部１４０と凹部３１０との係合が解除される。よって、電池押さえ２０を上方に引く作業だけでケース体３０から電池受容体１０を容易に取り外すことができる。また、電池受容体１０とケース体３０との係合が解除された後、電池押さえ２０を更に上方に引くと、垂下部２１０も上方に移動し、孔部内に一部が位置する凸部が孔部の下端に当接することで、係合解除部２２０の上方移動を規制する。
よって、電池押さえ２０が必要以上に上方に移動してしまうことによる折れ、曲がり、破損等の不具合を防止できる。
【００２８】
なお、本発明は上記実施の形態に限定されるものではない。例えば、弾性係合爪部は、上部ハウジングに形成してもよい。また、移動規制機構は、下部ハウジングに孔部を設け、垂下部に凸部を設けて構成してもよい。その他、発明の要旨を逸脱しない範囲内であれば変更が可能である。
【００２９】
【発明の効果】
請求項１に記載の発明によれば、固定部材を上方に引くと、固定部材の外周部に設けられた垂下部も伴に上方に引かれる。また、垂下部が上方に引かれることで、垂下部に設けられた係合解除部も上方に移動する。係合解除部が上方に移動することにより、係合解除部は、外装部材に形成された凹部に係合する弾性係合爪部に当接するとともに、弾性係合爪部を弾性変形させて凹部との係合を解除する。よって、固定部材を上方に引く作業だけで外装部材から機器モジュールを容易に取り外すことができる。
【００３０】
請求項２に記載の発明によれば、固定部材を上方に引くと、固定部材の外周部に設けられた垂下部も伴に上方に引かれる。また、垂下部が上方に引かれることで、垂下部に設けられた係合解除部も上方に移動する。係合解除部が上方に移動することにより、係合解除部は、外装部材に形成された凹部に係合する弾性係合爪部に当接するとともに、弾性係合爪部を弾性変形させて凹部との係合を解除する。よって、固定部材を上方に引く作業だけで外装部材から電池受容体を容易に取り外すことができる。
【００３１】
請求項３に記載の発明によれば、弾性係合爪部は、下方から上方に向かって凹部側に傾斜する傾斜面を係合解除部側に有する傾斜面部を備えているので、固定部材を上方に引いた場合には、係合解除部が傾斜面に沿って移動することにより、傾斜面部が凹部の外側に向かって弾性変形する。よって、外装部材から機器モジュールを容易に取り外すことができる。
【００３２】
請求項４に記載の発明によれば、係合解除部が上方に所定の距離以上移動することを規制する移動規制機構を備えることにより、固定部材の上方への移動量を規制することができるので、固定部材が必要以上に上方に移動してしまうことによる折れ、曲がり、破損等の不具合を防止できる。
【００３３】
請求項５に記載の発明によれば、固定部材を上方に引くことにより、垂下部も上方に移動し、孔部内に一部が位置する凸部が孔部の下端に当接することで、係合解除部の上方移動を規制する。よって、固定部材が必要以上に上方に移動してしまうことによる折れ、曲がり、破損等の不具合を防止できる。
【図面の簡単な説明】
【図１】本発明の第１の実施の形態における腕時計の裏側の平面図である。
【図２】図１の腕時計における機器モジュールと回路押さえとケース体の説明図であり、（ａ）はＡ方向から見た模式図であり、（ｂ）はＢ方向から見た模式図であり、（ｃ）はＣ方向から見た模式図である。
【図３】本発明の第１の実施の形態における腕時計の機器モジュールをケース体から取り外すときの説明図であり、（ａ）はＡ方向から見た模式図であり、（ｂ）はＢ方向から見た模式図である。
【図４】本発明の第２の実施の形態における腕時計の電池収納構造の平面図である。
【図５】図４の腕時計における電池収納構造の説明図であり、（ａ）はＤ方向から見た電池収納時の模式図であり、（ｂ）はＤ方向から見た電池受容体収納時の模式図であり、（ｃ）はＤ方向から見た電池受容体をケース体から取り外すときの模式図である。
【図６】図４の腕時計における電池収納構造をＥ方向から見た模式図である。
【図７】従来技術の腕時計における機器モジュールと回路押さえとケース体の模式図である。
【図８】従来技術の腕時計における機器モジュールをケース体から取り外すときの模式図である。
【符号の説明】
１，１０        機器モジュール
１１            回路基板
１１０ａ        第１の電池
１１０ｂ        第２の電池
１２，１２０    上部ハウジング
１３，１３０    下部ハウジング
１４，１４０    弾性係合爪部
１５，１５０    傾斜面部
２              回路押さえ（固定部材）
２０            電池押さえ（固定部材）
２１，２１０    垂下部
２２，２２０    係合解除部
３，３０        ケース体（外装部材）
３１，３１０    凹部
４，４０        バネ
５，５０        移動規制機構
５１，５１０    孔部
５２，５２０    凸部
１００          腕時計
２００          電池収納構造
【図１】
2004301788.tif 000003
【図２】
2004301788.tif 000004
【図３】
2004301788.tif 000005
【図４】
2004301788.tif 000006
【図５】
2004301788.tif 000007
【図６】
2004301788.tif 000008
【図７】
2004301788.tif 000009
【図８】
2004301788.tif 000010